(57)【要約】      （修正有）【課題】結束用の道具を必要とすることなく、簡便に緩みなく新聞紙などを縛ることができる結束用紐を提供する。【解決手段】結束紐１０は、紐１２に、間隔をおいて瘤１４を設けている。瘤１４は、例えば、輪１６を作り、これに紐１２を通して結び目とすることで作ることができる。このような結束紐１０を、絡めて直交方向に引き出して引っ張ると、瘤１４が互いに引っ掛かかるようになる。このため、手を緩めても、瘤１４同士が引っ掛かっているために、作業者が多少手を緩めても、結束紐１０が解けることがない。このため、被結束物を、特別な道具を必要とすることなく、短時間で良好に緩みなく結束することができる。【選択図】図１
0003224714.tif 000002
【実用新案登録請求の範囲】
【請求項１】
被結束物を結束する結束紐であって、
紐に間隔をおいて瘤を設けたことを特徴とする結束紐。
【請求項２】
前記瘤を、前記紐の結び目によって形成したことを特徴とする請求項１記載の結束紐。
【請求項３】
前記紐が伸縮性を有することを特徴とする請求項１又は２記載の結束紐。
【考案の詳細な説明】
【技術分野】
【０００１】
本考案は、新聞紙や雑誌などを縛るための荷造り紐の改良に関する。
【背景技術】
【０００２】
新聞紙や雑誌などを縛る場合、多くは、図３(A)に示すように被結束物１００を、上面及び下面で紐１０２を絡めて結束している。下面側の絡め部１０４を拡大すると、同図(B)に示すように紐１０２が絡まっており、上面側の絡め部１０６を拡大すると、同図(C)に示すように紐１０２が絡まっている。
【０００３】
このような荷造り紐としては、例えば、下記特許文献１記載の縛りひもがある。これは、誰でも簡単な作業で、不要の新聞や雑誌などの古紙を荷造りすることができる縛りひもを提供することを目的としており、パルプ繊維からなる２本の紙ひもをほぼ中央部において固く結んで連結したことを特徴とする。
【０００４】
下記特許文献２には、どんな非力な結束者であっても新聞・雑誌等の結束作業を極めて容易にスピィーディーに、しかも紐の弛み無く行うことを可能にするため、長さと形状を工夫した特殊な十字型のひもを新聞紙等の結束対象物にワンタッチ着装し、そのひもに棒などの結束具２を通して回転させるだけの一連の動作により、力いらず・コツいらずの速やかな結束作業を実現するようにした「結束ひも及び結束方法」が開示されている。
【先行技術文献】
【特許文献】
【０００５】
【特許文献１】特開2001-106254号公報
【特許文献２】特開2012-30890号公報
【考案の概要】
【考案が解決しようとする課題】
【０００６】
しかしながら、上述した特許文献１記載の背景技術では、積み重ねた新聞紙などの下面側は、紐が結んであるので解けることはないが、上面側はそのようになっていないので、縛るときにゆるんでしまう恐れがあり、結果的に積み重ねた新聞紙などを緩みなく結束することが難しい。また、特許文献２の背景技術では、棒などの結束具を必要とする。
【０００７】
本考案は、かかる点に鑑みてなされたもので、結束用の道具を必要とすることなく、簡便に緩みなく新聞紙などを縛ることができる結束用紐を提供することを、その目的とする。
【課題を解決するための手段】
【０００８】
本考案は、被結束物を結束する結束紐であって、紐に間隔をおいて瘤を設けたことを特徴とする。主要な形態の一つによれば、前記瘤を、前記紐の結び目によって形成したことを特徴とする。他の形態によれば、前記紐が伸縮性を有することを特徴とする。本考案の前記及び他の目的，特徴，利点は、以下の詳細な説明及び添付図面から明瞭になろう。
【考案の効果】
【０００９】
本考案によれば、紐に瘤を作ることとしたので、紐を絡めたときに瘤が引っ掛かるようになり、結束用の道具を必要とすることなく、簡便に緩みなく被結束物を縛ることができる。
【図面の簡単な説明】
【００１０】
【図１】本考案の結束紐の一実施例を示す図である。(A)は結束前の状態を示し、(B)は結び目を作る様子を示し、(C)及び(D)は結束時の様子を示す。
【図２】新聞紙などの被結束物を重ねて結束する様子を示す図である。(A)は結束後の様子を示し、(B)は下面側における紐の絡まりの様子を示し、(C)は上面側における紐の絡まりの様子を示し、(D)は前記(C)の絡まり部分を拡大して示している。
【図３】従来の新聞紙などの被結束物の結束の様子を示す図である。
【考案を実施するための形態】
【００１１】
以下、本考案を実施するための最良の形態を、実施例に基づいて詳細に説明する。
【実施例１】
【００１２】
図１には、本実施例の結束紐１０が示されている。結束紐１０は、同図(A)に示すように、紐１２に、適宜の間隔を開けて、瘤１４を設けている。瘤１４は、例えば、同図(B)に示すように、輪１６を作り、これに紐１２を通して結び目とすることで作ることができる。このような結束紐１０を、図１(C)に示すように絡めて直交方向に引き出すとともに、これを図１(D)に矢印で示すように引っ張ると、瘤１４が互いに引っ掛かかるようになる。このため、手を緩めても、瘤１４同士が引っ掛かっているために、解けることがない。
【００１３】
図２(A)には、新聞紙や雑誌などを束ねた被結束物５０を本実施例の結束紐１０で十字状に結束した様子が示されている。このような結束を行う場合、最初に、被結束物５０の面ＳＡ側で結束紐１０を絡めて直交方向に引き出すとともに、被結束物５０の他方の面ＳＢ側で結束紐１０を絡めて直交方向に引き出して結ぶことで結束する。順に説明すると、まず、結束紐１０を、被結束物５０の面ＳＢの下側に通す。そして、被結束物５０の側面に沿って面ＳＡ側に引き上げ、図１(C)に示したように、結束紐１０に絡め部２０を作って、図１(D)のように引っ張る。次に、結束紐１０を他の側面に沿って引き下げるとともに、被結束物５０の上下をひっくり返し、図２(C)に示すように、３本の結束紐１０に絡め部２２を作る。図２(D)には、絡め部２２の部分が拡大して示されている。
【００１４】
いずれの絡め部２０，２２においても、結束紐１０の瘤１４同士が引っ掛かるようになるので、作業者が多少手を緩めても、結束紐１０が解けることがない。このため、被結束物５０を、緩みなく、短時間で良好に結束することができる。上述した背景技術ような特別な道具も必要としない。
【００１５】
＜他の実施例＞……本考案には数多くの実施例があり、以上の開示に基づいて多様に改変することが可能である。例えば、次のようなものも含まれる。
(1)瘤１４は、どのような方法で作ってもよい。例えば、輪１６にビーズなどを通すようにしてもよい。また、結び目により瘤１４を作るとしても、結び目を大きくするために、
ａ，図１(B)の輪１６を複数個形成してもよいし、
ｂ，輪１６に紐１２を複数回通すようにしてもよい。
(2)前記実施例では、新聞や雑誌などを積み重ねて、その上面及び下面で結束紐１０を絡まるようにしたが、被結束物５０としては、各種のものが適用可能であり、必ずしも積み重ねる必要もない。
(3)紐１２の素材としては、各種の公知のものを使用してよいが、伸縮性があるものを使用すると、紐１２を引っ張るだけで、瘤１４が引っ掛かるようになり、作業性が向上する。
【産業上の利用可能性】
【００１６】
本考案によれば、紐に瘤を作ることとしたので、紐を絡めたときに瘤が引っ掛かるようになり、結束用の道具を必要とすることなく、簡便に緩みなく被結束物を縛ることができ、新聞や雑誌を重ねて結束する結束紐に好適である。
【符号の説明】
【００１７】
１０：結束紐
１２：紐
１４：瘤
１６：輪
２０，２２：絡め部
５０：被結束物
１００：被結束物
１０２：紐
１０４，１０６：絡め部
ＳＡ，ＳＢ：面
【図１】
0003224714.tif 000003
【図２】
0003224714.tif 000004
【図３】
0003224714.tif 000005